(57)【要約】【課題】薄膜構造体から支持体だけを容易に剥離できるとともに、薄膜を安定して保持でき、被貼付面に対して薄膜を押し当てて容易に貼付することができる薄膜貼付装置を提供する。【解決手段】薄膜貼付装置は、第１の通風孔及び第１の通風孔とは異なる第２の通風孔に連通する通風路と、第１の通風孔が配置された薄膜保持面を有し、薄膜保持面に薄膜を保持する薄膜保持部と、通風路内に配置される回転翼と、回転翼を回転させる駆動源と、を備える。回転翼が、第１の方向に回転することにより第１の通風孔から外気の吸引が行われ、薄膜構造体が強固に保持される。【選択図】図１
2018050736.tif 000002
【特許請求の範囲】
【請求項１】
薄膜及び支持体の積層構造を有する薄膜構造体を用いて、前記薄膜構造体から前記支持体を剥離して前記薄膜を被貼付面に貼付する際に使用される薄膜貼付装置であって、
第１の通風孔及び第１の通風孔とは異なる第２の通風孔に連通する通風路と、
前記第１の通風孔が配置された薄膜保持面を有し、前記薄膜保持面に前記薄膜を保持する薄膜保持部と、
前記通風路内に配置される回転翼と、
前記回転翼を回転させる駆動源と、を備え、
前記回転翼が、第１の方向に回転することにより前記第１の通風孔から外気の吸引が行われることを特徴とする薄膜貼付装置。
【請求項２】
前記回転翼の回転方向を含む回転態様に関する指示を受け付ける操作部と、
前記操作部からの指示に基づいて前記回転翼の回転態様を制御する制御部と、を備え、
前記回転翼が、第１の方向に回転することにより前記第１の通風孔から外気の吸引が行われる一方、前記第１の方向とは逆の第２の方向に回転することにより前記第１の通風孔から外部に向けて送風が行われることを特徴とする請求項１に記載の薄膜貼付装置。
【請求項３】
前記回転翼は、前記通風路における前記第１の通風孔の近傍に配置されることを特徴とする請求項１又は２に記載の薄膜貼付装置。
【請求項４】
前記通風路に整流を生じさせる整流板を備えることを特徴とする請求項１から３のいずれか一項に記載の薄膜貼付装置。
【請求項５】
前記薄膜保持部は、前記被貼付面と当接しない非当接部を有し、前記非当接部側から前記薄膜保持面を介して前記被貼付面を視認可能であることを特徴とする請求項１から４のいずれか一項に記載の薄膜貼付装置。
【請求項６】
前記薄膜保持面は、前記第１の通風孔が配置される周縁部の通風領域と、前記第１の通風孔が配置されない中央部の非通風領域と、を有することを特徴とする請求項１から５のいずれか一項に記載の薄膜貼付装置。
【請求項７】
前記第１の通風孔は、前記薄膜保持面側の端部に、テーパー形状を有することを特徴とする請求項１から６のいずれか一項に記載の薄膜貼付装置。
【請求項８】
前記第１の通風孔と前記第２の通風孔の総面積が同じであることを特徴とする請求項１から７のいずれか一項に記載の薄膜貼付装置。
【請求項９】
前記薄膜保持部は、前記通風路を有する筐体に対して、着脱可能に装着されることを特徴とする請求項１から８のいずれか一項に記載の薄膜貼付装置。
【請求項１０】
前記薄膜保持面は、前記回転翼による吸引方向に対して傾斜しており、
前記薄膜保持部は、前記回転翼の吸引方向を中心に回転させた複数の態様で、前記筐体に対して装着可能であることを特徴とする請求項９に記載の薄膜貼付装置。
【請求項１１】
前記薄膜保持部は、前記筐体に対して着脱可能に装着されるヘッド部材と、前記ヘッド部材に対して着脱可能に装着される薄膜保持部材と、を有することを特徴とする請求項９又は請求項１０に記載の薄膜貼付装置。
【発明の詳細な説明】
【技術分野】
【０００１】
本発明は、薄膜貼付装置に関し、特に、美容シート等の薄膜を被貼付面（美容シートの場合には肌）に貼付する際に使用する薄膜貼付装置に関する。
【背景技術】
【０００２】
従来、頬のシミなどの肌の変色領域を目立たなくするために、様々な技術が提案されている（例えば、特許文献１）。特許文献１に記載の技術は、まず、肌を撮影した画像から肌の変色領域を識別する。そして、肌に貼り付け可能であって、非変色領域の色が印刷された美容シート（薄膜）を、変色領域と同一のサイズまたは変色領域よりも大きいサイズで生成する。このようにして造られた美容シートを肌に貼付することにより、肌の変色領域を目立たなくすることができる。
【０００３】
また、特許文献２には、気体供給機構を利用して、被貼付面（貼付対象）に向けて薄膜（フィルム）を押し出すことにより、被貼付面に薄膜を貼付する薄膜貼付装置（フィルム貼付器具）が開示されている。このような従来の薄膜貼付装置においては、薄膜及び支持体（キャリアシート）の積層構造を有する薄膜構造体を薄膜保持面に保持し、薄膜構造体から支持体を剥離した後、被貼付面に向けて薄膜が押し当てられ貼付される。
【先行技術文献】
【特許文献】
【０００４】
【特許文献１】特開２０１５−４３８３６号公報
【特許文献２】特開２０１４−１２１４４０号公報
【発明の概要】
【発明が解決しようとする課題】
【０００５】
特許文献２には、薄膜貼付装置において、ピストンを利用して薄膜保持面（ヘッド部材）に薄膜構造体を吸着させ、この状態で支持体を剥離することが開示されている（特許文献２の段落［００２５］参照）。しかしながら、手動でピストンを操作して薄膜構造体を薄膜保持面に吸着させながら、支持体の剥離作業を行うことは容易ではなく、薄膜構造体から支持体を剥離する際に、薄膜も剥がれる虞がある。
【０００６】
また、薄膜貼付装置を用いて被貼付面に薄膜を貼付する際、薄膜構造体を濡らして、薄膜と支持体との間に水の層を形成することにより、支持体を剥離しやすくなることが知られている。しかしながら、薄膜構造体に噴霧する必要があるため、貼付作業が繁雑になる。
【０００７】
本発明の目的は、薄膜構造体から支持体だけを容易に剥離できるとともに、薄膜を安定して保持でき、被貼付面に対して薄膜を押し当てて容易に貼付することができる薄膜貼付装置を提供することである。
【課題を解決するための手段】
【０００８】
本発明の一態様に係る薄膜貼付装置は、
薄膜及び支持体の積層構造を有する薄膜構造体を用いて、前記薄膜構造体から前記支持体を剥離して前記薄膜を被貼付面に貼付する際に使用される薄膜貼付装置であって、
第１の通風孔及び第１の通風孔とは異なる第２の通風孔に連通する通風路と、
前記第１の通風孔が配置された薄膜保持面を有し、前記薄膜保持面に前記薄膜を保持する薄膜保持部と、
前記通風路内に配置される回転翼と、
前記回転翼を回転させる駆動源と、を備え、
前記回転翼が、第１の方向に回転することにより前記第１の通風孔から外気の吸引が行われることを特徴とする。
【発明の効果】
【０００９】
本発明に係る薄膜貼付装置によれば、電動式の回転翼を利用して薄膜保持面に薄膜構造体を吸引するので、薄膜構造体から支持体だけを容易に剥離できるとともに、薄膜を安定して保持でき、被貼付面に対して薄膜を押し当てて容易に貼付することができる。
【図面の簡単な説明】
【００１０】
【図１】本発明の一実施の形態に係る薄膜貼付装置の一例を示す図である。
【図２】薄膜貼付装置の構成を示す分解斜視図である。
【図３】薄膜保持部材の一例を示す図である。
【図４】薄膜保持部材の通風孔の一例を示す断面図である。
【図５】薄膜構造体の一例を示す断面図である。
【図６】薄膜貼付装置の使用態様を示す図である。
【発明を実施するための形態】
【００１１】
以下、本発明の実施の形態を、図面を参照して詳細に説明する。
【００１２】
図１は、本発明の一実施の形態に係る薄膜貼付装置１の一例を示す図である。図２は、薄膜貼付装置の構成を示す分解斜視図である。薄膜貼付装置１は、薄膜１０１及び支持体１０２の積層構造を有する薄膜構造体１００を用いて、薄膜構造体１００から支持体１０２を剥離した後、薄膜１０１を被貼付面に貼付する際に使用される（薄膜構造体１００については図５参照）。薄膜貼付装置１は、例えば美容シートや医療シート等の薄膜を、肌を被貼付面として貼付する際に使用される。
【００１３】
図１、図２に示すように、薄膜貼付装置１は、装置本体１０と薄膜保持部２０とを備える。以下において、装置本体１０に対して薄膜保持部２０が装着される側を「上側」、逆側を「下側」として説明する。
【００１４】
薄膜貼付装置１は、吸引モードと、押出モードを備える。吸引モードは、薄膜保持部２０に保持された薄膜構造体１００から支持体１０２を剥離し、支持体１０２が剥離された後の薄膜１０１のみを保持（仮貼付）する際に使用される。押出モードは、薄膜保持部２０に保持された薄膜１０１を被貼付面に押し出して貼付する際に使用される。
【００１５】
装置本体１０は、筐体１１、回転翼１２、モーター１３（駆動源）、スイッチ１４（操作部）、制御基板１５（制御部）、及び電源１６等を有する。
【００１６】
回転翼１２は、例えば合成樹脂製であり、２枚の翼部を有する。回転翼１２は、モーター１３のモーター軸に取り付けられ、モーター１３の駆動に伴い回転する。モーター１３は、配線１７を介して制御基板１５に接続される。
【００１７】
回転翼１２は、吸引モードにおいては、薄膜保持部２０の通風孔２２ａ（第１の通風孔）から外気の吸引が行われるように、第１の方向に回転する。一方、回転翼１２は、押出モードにおいては、薄膜保持部２０の通風孔２２ａから外部に向けて送風が行われるように、第１の方向とは逆の第２の方向に回転する。以下において、第１の方向への回転を「正回転」、第２の方向への回転を「逆回転」と称する。
【００１８】
本実施の形態のように、回転翼１２は、通風路Ｄにおいて、通風孔２２ａの近傍に配置されるのが好ましい。これにより、吸引動作及び押出動作を効率よく行うことができる。
【００１９】
電源１６は、例えば２本の単四電池であり、制御基板１５を介してモーター１３に電力を供給する。スイッチ１４は、ユーザーによるオン／オフの切替え、及び動作モード（吸引モード／押出モード）の切替え等の操作を受け付け、操作信号を制御基板１５に出力する。スイッチ１４は、例えば、筐体１１の側面に配置されるスライドスイッチである。
【００２０】
制御基板１５は、スイッチ１４からの操作信号に基づいて、モーター１３に電力を供給し、回転翼１２を正回転又は逆回転させる。回転翼１２、モーター１３、スイッチ１４、制御基板１５及び電源１６は、筐体１１内に収容される。
【００２１】
筐体１１は、全体としてユーザーが把持しやすい流線形状を有する。筐体１１は、例えば合成樹脂製であり、上部筐体１１１及び下部筐体１１２で構成される分割構造を有する。上部筐体１１１と下部筐体１１２は、例えば上部筐体１１１の係合部１１１ｅに下部筐体１１２の係止片１１２ｂを係合させた状態で、下部筐体１１２のボス１１２ｃにねじを挿通して上部筐体１１１にねじ止めすることにより結合される。
【００２２】
本実施の形態では、上部筐体１１１に、回転翼１２、モーター１３、スイッチ１４、制御基板１５及び電源１６が取り付けられ、主に下部筐体１１２が通風路Ｄを形成する。これにより、通風路Ｄにおける乱流を抑えることができる。また、下部筐体１１２から上部筐体１１１を取り外すときに、モーター１３の配線１７が邪魔になることはなく、容易に電池の交換等を行うことができる。
【００２３】
上部筐体１１１は、筐体１１の延在方向における一端側の上面に、円筒形状に突出するヘッド取付部１１１ａを有する。ヘッド取付部１１１ａには、薄膜保持部２０（ヘッド部材２１）が装着される。ヘッド取付部１１１ａは、下部内周縁に、内側に膨出する仕切壁１１１ｂを有する。仕切壁１１１ｂには、円筒形状のモーター収容部１１１ｄが配置される。仕切壁１１１ｂに閉塞されない開口１１１ｃが通風路Ｄとなる。また、上部筐体１１１において、回転翼１２及びモーター１３が配置される領域と、スイッチ１４、制御基板１５及び電源１６が配置される領域との間には、遮蔽板１１４が設けられる。
【００２４】
下部筐体１１２は、筐体１１の延在方向における他端の下面に、通風孔１１２ａ（第２の通風孔）を有する。なお、通風孔１１２ａは、薄膜貼付装置１をユーザーが把持して使用するときに、閉塞されない位置であればよく、例えば回転翼１２及びモーター１３の直下に配置されてもよい。
【００２５】
下部筐体１１２において、開放された上面には、遮蔽板１１３が配置される。遮蔽板１１３は、回転翼１２の下方に位置する領域を除いて、下部筐体１１２の上面を閉塞する。これにより、遮蔽板１１３に閉塞されない開口１１２ｄを通って通風孔１１２ａに抜ける通風路Ｄが形成される。
【００２６】
上部筐体１１１と下部筐体１１２を結合したとき、遮蔽板１１３の上方に、スイッチ１４、制御基板１５及び電源１６が位置する。また、上部筐体１１１において、回転翼１２及びモーター１３が配置される領域と、スイッチ１４、制御基板１５及び電源１６が配置される領域とは、遮蔽板１１４によって区画されている。すなわち、遮蔽板１１３、１１４は、通風路Ｄと、スイッチ１４、制御基板１５及び電源１６が配置される領域とを隔離し、通風路Ｄに整流を生じさせる整流板として機能する。
【００２７】
遮蔽板１１３、１１４を設けることにより、通風路Ｄにおいて乱流が生じるのを抑制することができるので、吸引モードにおける薄膜構造体１００の吸引動作及び押出モードにおける薄膜１０１の被貼付面への押出動作を安定させることができる。
【００２８】
薄膜保持部２０は、ヘッド部材２１及び薄膜保持部材２２を有する。ヘッド部材２１は、例えば合成樹脂製であり、内部は空洞となっており、通風路Ｄの一部を形成する。ヘッド部材２１は、薄膜保持部材２２が装着されるプレート保持部２１ａ及び筐体１１に装着される筐体取付部２１ｂを有する。プレート保持部２１ａには、薄膜保持部材２２が嵌め込まれる。
【００２９】
薄膜保持部材２２は、例えば合成樹脂製であり、外部に露呈する面２２ｂ（以下「薄膜保持面２２ｂ」と称する）に、通風路Ｄに連通する多数の通風孔２２ａを有するノズルプレート（多孔板）である。薄膜保持部材２２は、被貼付面に押し付けた際に、被貼付面からの反力によって著しく歪まない程度の剛性を有する。薄膜保持面２２ｂの外形は、薄膜構造体１００の外形とほぼ同等であるか、薄膜構造体１００よりも大きい。薄膜保持面２２ｂは、平面形状であってもよいし、凹面形状又は凸面形状であってもよい。
【００３０】
薄膜保持部材２２の薄膜保持面２２ｂは、親水性を有することが好ましい。これにより、仮貼付されている薄膜１０１を濡れている被貼付面に押し付けたときに、水分が薄膜１０１を透過して、薄膜１０１と薄膜保持面２２ｂとの間に水分の層が形成されるため、薄膜１０１が薄膜保持面から剥がれやすくなる。
【００３１】
例えば、薄膜保持面２２ｂにおいて、通風孔２２ａが形成される通風領域の直径は２５ｍｍである。また、通風孔２２ａの孔径は０．６〜１ｍｍであり、孔ピッチは２ｍｍである。通風孔２２ａの孔径は、内側と外側で異なり、例えば通風領域の内側半分の孔径を０．６ｍｍ、外側半分の孔径を１．０ｍｍとしてもよい。
【００３２】
薄膜保持部材２２においては、図３Ａに示すように、薄膜保持面２２ｂは、通風孔２２ａが配置される周縁部の通風領域と、通風孔２２ａが配置されない中央部の非通風領域と、を有するのが好ましい（薄膜保持部材２２Ａ）。これにより、薄膜保持面２２ｂの全面に通風孔２２ａが配置されている場合（図３Ｂに示す薄膜保持部材２２Ｂ）に比較して、薄膜構造体１００に対する吸引力が小さくなるので、容易に薄膜構造体１００から支持体１０２を剥離することができる。
【００３３】
また、薄膜保持部材２２においては、図４に示すように、通風孔２２ａは、少なくとも薄膜保持面２２ｂ側の端部２２ｃに、テーパー形状を有することが好ましい。これにより、吸引動作の際に、薄膜１０１が破損するのを防止できる。特に、薄膜１０１の膜厚が極めて薄く（例えば膜厚が１０〜１０００ｎｍ）、膜強度が低い場合に効果的である。
【００３４】
さらに、通風孔２２ａの総面積は、筐体１１に設けられる通風孔１１２ａの総面積と実質的に同じであることが好ましい。ここで、「実質的に同じ」とは、全く同じである場合だけでなく、一方の面積が他方の面積の±２０％である場合を含む。これにより、回転翼１２による風量（風速）を容易に制御することができる。
【００３５】
本実施の形態のように、ヘッド部材２１は、筐体１１に対して着脱可能であることが好ましい。また、薄膜保持部材２２は、ヘッド部材２１に対して着脱可能であることが好ましい。これにより、ヘッド部材２１又は薄膜保持部材２２を、被貼付面の性状に合わせて適宜に交換することができる。
【００３６】
本実施の形態では、薄膜保持面２２ｂは、回転翼１２の吸引方向（押出方向）に対して傾斜している。この場合、ヘッド部材２１は、回転翼１２の吸引方向を中心に回転させた複数の態様で、筐体１１に対して装着可能であることが好ましい。これにより、ヘッド部材２１を筐体１１に対して回転させるだけで、ユーザーが使いやすい使用態様を実現できる。
【００３７】
薄膜保持部２０において、薄膜保持部材２２の薄膜保持面２２ｂを除く部分は、被貼付面と当接しない非当接部となる。薄膜保持部２０は、非当接部側から薄膜保持面２２ｂを介して被貼付面を視認可能であることが好ましい。例えば、ヘッド部材２１及び薄膜保持部材２２が透明性を有することにより実現される。これにより、例えば、ユーザーが自分の頬を被貼付面として薄膜を貼付する場合に、鏡を見ながら貼付位置を確認することができる。なお、ヘッド部材２１においては、少なくとも、薄膜保持部材２２の薄膜保持面２２ｂに対して貼付方向反対側の領域が透明になっていればよい。
【００３８】
図５は、薄膜貼付装置１で用いられる薄膜構造体１００の一例を示す図である。薄膜構造体１００は、図５に示すように、薄膜１０１（ナノシート）及び支持体１０２の積層構造を有する。薄膜１０１は、支持体１０２の片面（図５の上側面）に貼着される。薄膜１０１の外形は、支持体１０２の外形よりも僅かに小さい（例えば、３０μｍ）。
【００３９】
薄膜１０１は、例えば、人の肌に貼り付けても違和感が無く、かつ、生体適合性を有する素材で形成される。また、薄膜１０１は、疎水性（撥水性）を有し、帯電しやすい素材であることが好ましい。薄膜には、これらの特性を有する任意の素材を用いることができる。
【００４０】
薄膜の素材としては、例えば、ポリグリコール酸、ポリ乳酸、ポリカプロラクトン、ポリエチレンサクシネート、ポリエチレンテレフタレートまたはこれらの共重合体に代表されるポリエステル類、ポリエチレングリコール、ポリプロピレングリコールに代表されるポリエーテル類、ナイロン、ポリグルタミン酸、ポリアスパラギン酸またはこれらの塩に代表されるポリアミド類、プルラン、セルロース、デンプン、キチン、キトサン、アルギン酸、ヒアルロン酸、コーンスターチに代表される多糖類またはこれらの塩、アクリルシリコーン、トリメチルシロキシケイ酸に代表されるシリコーン類、アクリル酸アルキル、アクリル酸シリコーン、アクリル酸アミドやこれらの共重合体に代表されるアクリル酸類、またはポリビニルアルコール、ポリウレタン、ポリカーボネート、ポリ酸無水物、ポリエチレン、ポリプロピレンが好適である。
【００４１】
薄膜１０１には、厚さが１０〜１００００ｎｍであるものを適用できる。特に、１０〜１０００ｎｍであることが好ましく、さらに薄膜１０１が疎水性を有する場合には、１０〜８００ｎｍであることが好ましい。
【００４２】
支持体１０２は、例えば、親水性（吸水性）を有する素材で形成される。具体的には、支持体１０２として、紙、不織布、多孔質フィルム、又はナノファイバーシート等を適用できる。
【００４３】
さらに、支持体として、支持体１０２（第１支持体）とは異なる支持体１０３（第２支持体）を備えてもよい。例えば、第２支持体１０３は、プラスチック等で形成され、第１支持体１０２の片面（薄膜１０１が設置する面とは反対の面）に密着して設けられる。第２支持体１０３において、第１支持体１０２と密着する側の面の外形は、第１支持体１０２の面の外形と同じでもよいが、それよりも大きいことが好ましい。また、第２支持体１０３には、補助マーク画像が形成されてもよい。第２支持体１０３を設けることにより、薄膜構造体１０００に強度を持たせることができ、薄膜構造体１００の取扱性が向上する。
【００４４】
図６は、薄膜貼付装置１を使用して行う薄膜の貼付方法の一例を示す図である。まず、ユーザーは、図６Ａに示すように、薄膜保持部２０の薄膜保持面２２ｂに、薄膜１０１を接触面として薄膜構造体１００を接触させ、保持させる。このとき、ユーザーは、スイッチ１４を操作して、薄膜貼付装置１を吸引モードで動作させる。回転翼１２が正回転することにより、連続した吸引動作が行われ、薄膜構造体１００は薄膜保持面２２ｂに強固に保持される。
【００４５】
この状態で、ユーザーは、薄膜構造体１００から支持体１０２を剥離し、薄膜保持面２２ｂに薄膜１００だけを保持させる。薄膜１０１は薄膜保持面２２ｂに吸引されているので、支持体１０２だけを容易に剥離することができる。また、支持体１０２を剥離した後も、薄膜１０１は薄膜保持面２２ｂに安定して保持される。支持体１０２を剥離する際、薄膜構造体１００に支持体１０２側から水分を供給すると、支持体１０２を透過した水分が薄膜１０１に移るので、さらに分離しやすくなる。
【００４６】
次いで、薄膜保持面２２ｂに保持されている薄膜１０１を、被貼付面である肌に押し当てて、薄膜１０１を肌に貼付（転写）する。このとき、ユーザーは、スイッチ１４を操作して、薄膜貼付装置１を押出モードで動作させる。回転翼１２が逆回転することにより、連続した押出動作が行われ、薄膜１０１は風圧で肌に押し付けられる。
【００４７】
なお、薄膜保持部２０が透明性を有するようにした場合、ユーザーは、被貼付面と薄膜１０１との位置関係を確認しながら位置合わせを行うことができる。また、補助的に、支持体１０２を剥離する際に薄膜構造体１００に噴霧するようにしてもよいし、薄膜１０１を肌に貼付する際に事前に肌に噴霧しておいてもよい。これにより、薄膜構造体１００からの支持体１０２の剥離、又は薄膜保持面２２ｂから被貼付面への薄膜１０１の貼付を容易化することができる。ただし、作業工数は増加することになるので、噴霧を行うか否かはユーザーに委ねられる。
【００４８】
このように、本実施の形態に係る薄膜貼付装置１は、薄膜１０１及び支持体１０２の積層構造を有する薄膜構造体１００を用いて、薄膜構造体１００から支持体１０２を剥離して薄膜１０１を被貼付面に貼付する際に使用される。薄膜貼付装置１は、第１の通風孔２２ａ及び第１の通風孔２２ａとは異なる第２の通風孔１２２ａに連通する通風路Ｄと、第１の通風孔２２ａが配置された薄膜保持面２２ｂを有し、薄膜保持面２２ｂに薄膜１０１を保持する薄膜保持部２０と、通風路Ｄ内に配置される回転翼１２と、回転翼１２を回転させるモーター１３（駆動源）と、を備える。回転翼１２が、第１の方向に回転することにより第１の通風孔２２ａから外気の吸引が行われる。
【００４９】
薄膜貼付装置１よれば、電動式の回転翼１２を利用して薄膜保持面２２ｂに薄膜構造体１００を吸引するので、薄膜構造体１００から支持体１０２だけを容易に剥離できるとともに、薄膜１０１を安定して保持でき、被貼付面に対して薄膜１０１を押し当てて容易に貼付することができる。また、薄膜構造体１００から支持体１０２を剥離する際に、水分を噴霧する工程が不要となるので、貼付作業が簡略化される。
【００５０】
さらに、薄膜貼付装置１は、回転翼１２の回転方向を含む回転態様に関する指示を受け付けるスイッチ１４（操作部）と、スイッチ１４からの指示に基づいて回転翼１４の回転態様を制御する制御基板１５（制御部）と、を備える。回転翼１２が、第１の方向に回転することにより第１の通風孔２２ａから外気の吸引が行われる一方、第１の方向とは逆の第２の方向に回転することにより第１の通風孔２２ａから外部に向けて送風が行われる。
【００５１】
これにより、薄膜保持面２２ｂから被貼付面への薄膜１０１の貼付作業も容易に行うことができる。
【００５２】
以上、本発明者によってなされた発明を実施の形態に基づいて具体的に説明したが、本発明は上記実施の形態に限定されるものではなく、その要旨を逸脱しない範囲で変更可能である。
【００５３】
例えば、実施の形態で説明した薄膜貼付装置１では、回転翼１２による吸引動作と押出動作の両方を実行できるが、吸引動作のみが実行されるようにしてもよい。この場合、被貼付面を濡らしておけば、薄膜保持面２２から被貼付面への薄膜１０１の貼付は支障なく行うことができる。
【００５４】
また例えば、実施の形態では、ヘッド部材２１と薄膜保持部材２２が別体で構成されているが、これらを一体的に形成してもよい。また、ヘッド部材２１を上部筐体１１１と一体的に形成してもよい。
【００５５】
また、スイッチ１４の操作により、回転翼１２の回転速度（風速／風量）を、例えば複数段階で制御できるようにしてもよい。
【００５６】
さらには、薄膜保持部２０の近傍にＬＥＤ照明を設けて、手元を視認しやすくしてもよい。また、薄膜保持面２２ｂの近傍に小型の噴霧装置を設けて、親水性を有する薄膜保持面２２ｂに水分を供給できるようにしてもよい。
【００５７】
本発明に係る薄膜貼付装置は、人の顔以外の被貼付面に薄膜を貼付する用途や、人以外の対象（例えば、動物等）の体の一部に薄膜を貼付する用途にも使用することもできる。さらに、本発明に係る薄膜貼付装置は、美容だけでなく、例えば、医療用の薄膜（例えば、傷口を塞ぐためのフィルム等）を、傷口に貼付する際に使用することもできる。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５９】
本発明に係る薄膜貼付装置は、特に、美容シート等の薄膜を被貼付面に貼付する場合に有用である。
【符号の説明】
【００６０】
１  薄膜貼付装置
１０  装置本体
１１  筐体
１１１  上部筐体
１１２  下部筐体
１１２ａ  通風孔（第２の通風孔）
１１３、１１４  遮蔽板（整流板）
１２  回転翼
１３  モーター（駆動源）
１４  スイッチ（操作部）
１５  制御基板（制御部）
１６  電源
１７  配線
２０  薄膜保持部
２１  ヘッド部材
２２  薄膜保持部材
２２ａ  挿通孔（第１の通風孔）
２２ｂ  薄膜保持面
Ｄ  通風路
１００  薄膜構造体
１０１  薄膜
１０２  支持体
【図１】
2018050736.tif 000003
【図２】
2018050736.tif 000004
【図３】
2018050736.tif 000005
【図４】
2018050736.tif 000006
【図５】
2018050736.tif 000007
【図６】
2018050736.tif 000008